(57)【要約】【課題】  ベッド柵に身体が触れた時の衝撃を和らげるとともに、見た目にも穏やかな雰囲気をかもし出す。【解決手段】  ベッド（１０）の寝台面（１１）周囲の柵（１２，１３，１４）に被せて装着するカバー（１）であって、外面に毛羽を有するシートによって袋状に形成されてなる。前記シートは、例えばムートン製である。【選択図】    図１
0003104531.tif 000002
【実用新案登録請求の範囲】
【請求項１】
ベッドの寝台面周囲の柵に被せて装着するカバーであって、外面に毛羽を有するシートが下端辺に開口部を有する袋状に形成されてなることを特徴とするベッド柵用カバー。
【請求項２】
前記シートは天然素材である請求項１に記載のベッド柵用カバー。
【請求項３】
前記シートはムートンである請求項２に記載のベッド柵用カバー。
【請求項４】
前記柵に装着した状態において、前記開口部を閉じることにより柵に係止される請求項１〜３のいずれか１項に記載のベッド柵用カバー。
【請求項５】
前記柵は、ヘッドボード、フットボード、サイドレールのうちのいずれかである請求項１〜４のいずれか１項に記載のベッド柵用カバー。
【考案の詳細な説明】
【技術分野】
【０００１】
この考案は、ベッドの寝台面周囲の柵に装着する袋状のカバーに関する。
【背景技術】
【０００２】
一般に、介護用や療養用のケアベッドの寝台面の周囲には柵が設けられている（非特許文献１、２参照）。
【０００３】
図１に示す介護用ベッド（１０）において、寝台面（１１）の頭側にヘッドボード（１２）、足側にフットボード（１３）が設けられ、さらに両側面に転落防止用のサイドレール（１４）（１４）が設けられている。図示例のサイドレール（１４）は金属パイプの加工品であり、四角形のフレーム（１５）内に数本の支柱（１６）が設けられているとともに、フレーム（１５）の下横木（１５ｂ）に２本の取付用脚（１７）（１７）が設けられている。一方、ベッド（１０）の両側面には、それぞれ頭部側または足側の２箇所に、前記取付用脚（１７）の挿入孔を有するレールホルダー（１８）（１９）が設けられ、頭部側、足側のどちらに対してもサイドレール（１４）を脱着できるものとなされている。
【０００４】
そして、図示例のように、サイドレール（１４）を頭部側レールホルダー（１８）に取り付けた時、サイドレール（１４）は起き上がり時に上横木（１５ａ）につかまって身体を支えるなどの動作介助にも利用されている。
【非特許文献１】ベッド、ランダルコーポレーション、福祉用具総合カタログＮｏ．１１、２００３年１１月〜２００４年度版、第９〜２６頁
【非特許文献２】在宅ケアベッド、〔平成１６年４月２日検索〕、インターネット〈ＵＲＬ：http://www.paramount.co.jp/products/homecare.html〉
【考案の開示】
【考案が解決しようとする課題】
【０００５】
上記介護用ベッド（１０）においては、使用者の手が不本意にサイドレール（１４）に当たることあり、痛く冷たい思いをすることがあった。また、頭部近くにサイドレール（１４）があるために常時視界に入り、しかもそれが金属パイプという冷たく無機質な物体であるため、気が滅入ったり不快感を感じるものである。これらの不都合は、ベッドを睡眠時にのみ使用する健常者であれば些細なことであるが、身体が不自由で多くの時間をベッドで過ごす者にとっては強く感じられるものである。
【０００６】
さらに、起き上がり時にサイドレール（１４）の上横木（１５ａ）をつかみ損なって支柱（１６）（１６）間の隙間に手や腕が入り込むこともある。
【課題を解決するための手段】
【０００７】
本考案は、上述した現状に鑑み、ベッド柵に身体が触れた時の衝撃を和らげるとともに、見た目にも穏やかな雰囲気をかもし出すベッド柵用カバーの提供を目的とし、下記構成を有するものである。
【０００８】
〔１〕ベッドの寝台面周囲の柵に被せて装着するカバーであって、外面に毛羽を有するシートが下端辺に開口部を有する袋状に形成されてなることを特徴とするベッド柵用カバー。
【０００９】
〔２〕  前記シートは天然素材である〔１〕に記載のベッド柵用カバー。
【００１０】
〔３〕  前記シートはムートンである〔２〕に記載のベッド柵用カバー。
【００１１】
〔４〕  前記柵に装着した状態において、前記開口部を閉じることにより柵に係止される〔１〕〜〔３〕のいずれか１項に記載のベッド柵用カバー。
【００１２】
〔５〕  前記柵は、ヘッドボード、フットボード、サイドレールのうちのいずれかである〔１〕〜〔４〕のいずれか１項に記載のベッド柵用カバー。
【考案の効果】
【００１３】
〔１〕の考案によれば、身体が当たった場合の衝撃が緩和され、かつ冷たく感じることもない。また、視覚的な癒し効果も得られる。
【００１４】
〔２〕の考案によれば、風合いの良いカバーとなる。
【００１５】
〔３〕の考案によれば、特に優れた衝撃緩和力が得られるとともに、暖かくかつむれにくいカバーとなる。さらに、柵や手に対して滑り止め効果が得られ、ベッド柵を手すりとして用いた場合につかみ易くなる。
〔４〕の考案によれば、さらに確実な滑り止め効果が得られる。また、カバーが不本意に柵から外れることを防止できる。
〔５〕の考案によれば、ヘッドボード、フットボード、サイドレールのうちのいずれにでも適用できる。
【考案を実施するための最良の形態】
【００１６】
図１および図２に、本考案のベッド柵用カバーの一実施形態にかかるムートン製サイドレール用カバー（１）と、このカバー（１）を装着する介護用ベッド（１０）を示す。
【００１７】
サイドレール用カバー（１）は、サイドレール（１４）のフレーム（１５）を覆う長方形であり、ムートンの羊毛（２）を外面側に向け、ベース皮（３）を内面側に向けて使用し、下端辺に開口部（４）を有する袋状に縫製されている。
【００１８】
前記カバー（１）の取付方法は、開かれた開口部（４）をサイドレール（１４）に被せて覆うだけで良い。
【００１９】
サイドレール（１４）に前記カバー（１）を装着することにより、次のような効果が得られる。
【００２０】
カバー（１）の衝撃緩和力により、不本意に身体が当たった場合のけがを防止することができ、かつカバー（１）の保温力により接触時に冷たさを感じない。また、サイドレール（１４）を隠して見た目も穏やかで暖かい雰囲気がかもし出され、視覚的に所謂「癒し効果」が得られる。また、支柱（１６）（１６）間の隙間が塞がれるため、誤って手や腕を差し入れることも防がれる。
【００２１】
さらに、カバー（１）を構成するシートの種類は限定されず、外面側に毛羽を有するものであれば上記効果が得られる。そして本実施形態のように、ムートンを用いることにより、さらに下記効果が得られる。
【００２２】
すなわち、ムートンは剛性のあるベース皮（３）に長い羊毛（２）が高密度に生えているために優れた衝撃緩和力がある。また、合成繊維よりも熱伝導性が高く、吸湿性、湿気の放出性、通気性に優れ、暖かくかつむれにくいため、四季を通じて快適に使用できる。天然の毛皮であるために、羊毛（２）がへたりにくく、肌触りや風合いも良い。また、ベース皮（３）は剛性があって適度に粗面で重量感があるため、サイドレール（１４）に対して滑り止め効果があり、羊毛（２）面においても良好な滑り止め効果がある。このため、サイドレール（１４）を手すりとして用いたときに、つかみやすくかつ滑りにくくなる。また、装着によって適度にボリュームが増し、細いサイドレール（１４）を直接つかむよりもつかみ易くなり、握力の弱くなった使用者を介助する効果もある。
【００２３】
本考案のベッド柵用カバーは上述した実施形態に限定されない。
【００２４】
例えば、シートとして、基布を起毛させた天然繊維または合成繊維による布帛、基布に植毛した天然繊維布帛または合成繊維布帛、ムートン以外の毛皮を用いたものも本考案に含まれる。
【００２５】
また、前記カバー（１）は被せただけでも装着できるが、カバー（１）を柵（１４）に装着した状態で柵（１４）に係止するようにしても良い。柵（１４）に係止しておけば、柵（１４）を手すりとして用いた場合に、カバー（１）のずれを確実に防止することができる。また、万一カバー（１）のみをつかんでも、カバー（１）が柵（１４）からすっぽ抜けて使用者が転倒するといった不都合を未然に防止することができる。係止方法は、前記カバー（１）の開口部（４）の近傍に面ファスナ、スナップ、ボタン、閉じ紐、フックなどの止着具を取り付け、柵（１４）に装着した状態でこれらを止着して開口部（４）を閉じるとともに、カバー（１）を柵（１４）に係止する方法を例示できる。
【００２６】
さらに、サイドレール用カバーのみならず、ヘッドボード用カバーおよびフットボード用カバーも本考案に含まれ、いずれの柵に装着した場合にも上述した効果が得られる。
【００２７】
なお、図示例では介護用ベッドへの装着例を示したが、本考案のカバーの装着対象は介護用や療養用ベッドに限定されず、一般のベッドにも任意に適用することができる。
【図面の簡単な説明】
【００２８】
【図１】本考案の一実施形態にかかるベッド柵用カバー、およびこのカバーを装着するベッドの斜視図である。
【図２】図１におけるII−II線断面図である。
【符号の説明】
【００２９】
１…サイドレール用カバー（ベッド柵用カバー）
４…開口部
１０…ベッド
１１…寝台面
１２…ヘッドボード
１３…フットボード
１４…サイドレール
【図１】
0003104531.tif 000003
【図２】
0003104531.tif 000004